(57)【要約】      （修正有）【課題】異なった厚みの柵板に、異なった厚み、あるいは腰の弱い紙質の紙片を留め付けて掲示する。【解決手段】平らかな受け面をもつ受け側と、受け側の下端あるいは背面から張り出し、受け側の背後からその頭上を迂回して、受け面に押え付く形状の押えとからなる挟み合いの構成をもつクリップとした。【選択図】図１
2005181397.tif 000002
【特許請求の範囲】
【請求項１】
平らかな受け面（づら）をもつ受け側と、受け側の下端あるいは背面から張り出し、受け側の背後から頭上を迂回し、受け面に押え付く形状の押えとからなる挟み合いの構成をもつクリップ（図１〜５２）。
【請求項２】
針金状の金属線からなり、平らかな受け面をもつ受け側と、受け側の下端から折れ曲り、受け側の背後から頭上を迂回し、受け面に押えつく形状の押えとからなる一筋の挟み合いを、横並びに連ねた構成をもつクリップ（図３１〜４０）。
【発明の詳細な説明】
【技術分野】
【０００１】
スーパー、コンビニ、ドラッグストアーなどで使用している商品陳列棚の柵板に、チラシや値札などの小紙片を掲示するためのクリップで、二手に折れ曲ってなる挟み合いのクリップについてである。柵板は商品陳列棚の正面手前側の縁に、商品がずり落ちないように張られているもので、主として縦幅が２〜５センチほど、板厚が１〜５ミリほどの横長の板で、主にプラスチックの透明板が用いられている。
【０００２】
従来の、本体にバネを組み合せたクリップは、挟み付けた状態において、取っ手部分がはみ出してしまうものである。板状体を山形に折り曲げたもので、折り畳める取っ手をもつもの（実開昭５３−０１２０１８）もあるが、付け外しの都度、取っ手を起こしたり寝せたりする面倒をもつものである。
【０００３】
また、いずれのクリップも値札などの小紙片を掲示するのに使用するとき、挟み留め部分が大きく、掲示部分に覆い被ってしまったり、一見してクリップ自体が目立つものであったりする。留め付けた縁から突き出てしまう取っ手は、邪魔になり目障りになる。掲示紙面に覆い被ったり、その存在が目立つクリップは、掲示紙片あるいは掲示内容を主張しようとする用途にそぐうものではない。
【０００４】
以上のことから本発明は、二手に折り曲がってなるクリップの構成に関する。  
【背景技術】
【０００５】
一般に、二手に折り曲がってなるクリップは、押し込み、あるいは押し広げながら挟み付けるもので、バネを組み合せたクリップと違い、基本的には嵌め挟むかたちのものであるから、嵌め挟む対象の厚みの違いに対して、適応力が小さく、あるいは適合幅が狭く、きつすぎたり、ゆるすぎたりになりがちである。
【０００６】
留め付けた掲示紙片を脱落させないように、しっかり留め付けるものにすると、挟み入れ口が硬く、あるいは閉じ加減のものになって、腰の弱い紙片などは挟み付けできないものになり、挟み入れ口を緩く、あるいは開き加減のものにすると、留め付けに役立たないものになってしまう。
【０００７】
更に、掲示紙面にできるだけ被さらないものとして、浅く入って留め付けるものとした場合、嵌め挟みの適合幅は極めて狭いものになり、限られた厚みの柵板に、限られた厚みの紙片を掲示する場合にしか使用することができない。
【０００８】
その上、その形状から、付け外しをするとき、クリップを裏表から強く押えるかたちでつまみもつ結果、付け外しし難い作用を加えながらの、付け外しをすることなど、総じて利用し難いことから、一般的に紙片の留め付け、あるいは掲示には使用されていない。
【０００９】
【特許文献１】特願平７−１０２９２１、特開２０００−４３４６２、特開昭６１−１２１９９５
【発明の開示】
【発明が解決しようとする課題】
【００１０】
（1）二手に折り曲がってなるクリップなれど、その適応力、あるいは適合幅をできるだけ大きくもち、取り付く対象（柵板）や、そこに留め付ける掲示紙片の厚みに多少の異なりがあっても、それに対応し、しっかり留め付けできるものとする。
（2）小紙片を留め付ける、あるいは掲示するためのクリップとして、掲示紙面にできるだけ覆い被らないものとする。
（3）掲示紙片の大きさ（横幅）に適宜に対応できるものとする。
（4）つまみもち易く、付け外しをし易いものとする。
（5）薄手の紙片あるいは腰の弱い紙片でも、縮り切る（じゃみる）ことなく留め付けできるものとする。
本発明は以上の課題を解決し、軽便に使用できるものを実現することを目的とするものである。
【課題を解決するための手段】
【００１１】
(1)の課題を解決するものとして、平らかな受け面をもつ受け側と、受け側の下端あるいは背面から張り出し、受け側の背後から頭上を迂回し、受け面に押え付く形状の押えとからなり、受け側(以下、受けとも云う)と、押え（以下、押え側とも云う）とで挟み合う構成をもつクリップとした。
【００１２】
本発明のクリップの特徴は、押えが大きく迂回することで弾力的なバネをもつこと、また、押えは受けの上端に適当な間隔をとって迂回するものである。この間隔をもつことで厚地のものを嵌め挟むとき、受け側が身を後ろに引いて弾力的に受け押えることができる。受けは、平らかな受け面をもち、取り付き対象の柵板にしっくりと当て付き、安定した取り付き状態を得ることができる。
【００１３】
(2)、(3)の課題を解決するために、全体として縦細に挟み付く、あるいは留め付けるものとした。それによりポスターを画鋲で留め付けるようにペアで使用し、掲示紙片の上端左右の２スポットを留め付ける形で使用でき、掲示紙片の大小（横幅）に係わりなく、適宜の位置を留め付ける使い方ができる。
【００１４】
因みに、押えを極く細めにした場合、挟み付けに於いてクリップを曲がった状態に留め付けできてしまうことから、受け側を板状のものとし、受け側上端の内側に庇状あるいは鉤状に張り出しの肩（以下、水平肩と云う）をもつものとした。これにより、取り付いた柵板の縁（水平）に対して水平肩が掛り、クリップは真っ直ぐに留め付くものになる。図４３〜４８、５１はその構成をもつものである。
【００１５】
（4）の課題を解決あるいは軽減するために、つまみ代をもつもの、つまみ窪をもつもの、手懸り（てがかり）或いは手当り（てあたり）をもつもの、並びに、針金の折り曲がりでなる縦筋の挟み合いを横並びにつまみ幅で連ねもつものなどとした。このことについて、以下に説明する。
【００１６】
本発明のクリップは、受け面側に回った押えを手前側にして、柵板の手前から留め付ける使い方をするもので、裏表をもつものである。従ってつまみ代は、柵板の手前側から付け外しし易い形、更に掲示紙面に邪魔にならない形、あるいは覆い被らない形、あるいは目立たない形のものとし、その一つの形は、受け面側に回った押えの折れ曲りの中に、つまみもてる程の張り出し（つまみ代）をもたせたもので、図１、２、７〜１２に示す如きものである。
【００１７】
もう一つの形は、押えの頭部につまみもてる程の突き出しをつくり、つまみもつことによる逆作用を生ぜしめない形のつまみ代をもたせたもので、図１３、１４に示す如きものである。これらのつまみ代は、できるだけ目立たない、あるいは目障りにならないものとして、はっきりした形状あるいはイメージのものとしていないことから、この発明では一般に云うつまみに代わるつまみとして、つまみ代(しろ)と呼ぶものとしている。
【００１８】
図１、２に示すつまみ代は、(4)の課題とともに、(5)の課題も解決するものである。まず受け側を留め付け対象（柵板）の縁に引っ掛けた上で、挟み入れ口を引き開き加減にして、付け外しできるつまみ代をもつもので、厚手の紙片でも、腰の弱い紙片でも難なく付け外しできるものである。尚、図７〜１２、２１〜２８、３５、３６、４１〜４８も同様のつまみ代をもつものである。
【００１９】
図１３、１４に示すつまみ代は、裏表（両外側）からつまみもつことから解放し、付け外しにマイナスに作用を加えることなく付け外しできるものである。尚、図２９、３０、３７、３８、５１〜５４も同様のつまみ代をもつものである。
【００２０】
つまみ窪は、図１５〜１８に示すように、付け外しをし易くするために、あるいは滑らないように外側面のつまみどころに窪みをつくったもので、強い力でつまみもたなくても付け外しできるものとしたもので、つまみもつことによるマイナスに働く作用を軽減するものである。尚、図１、３３、３９、４０も同様のつまみ窪をもつものである。
【００２１】
手懸りは、図１９に示すように付け外しをし易くするために、あるいは滑らないように外側面に突起をつくったものである。手当りは、図２０に示すように付け外しをし易くするために、あるいは滑らないように、外側面のつまみどころにざらつきをつくったものである。手懸りも手当りも、強い力でつまみもたなくても付け外しできるとしたもの、即ち、つまみもつことによるマイナスの作用を軽減するかたちで付け外しできるようにしたものである。
【発明の効果】
【００２２】
二手に折り曲がってなるクリップなれど、大きく迂回した折れ曲りの押えをもつことで、適応力を大きく、あるいは適合幅を広げることができ、嵌め挟みの対象の厚みに多少の違いがあっても、弾力的に対応できるものになった。
【００２３】
更には、挟み入れ口を引き開いて付け外しできるつまみ代をもつものも揃え、柵板の厚みに多少の違いがあっても、また、薄手の紙片でも、或いは厚手の紙片でも、適切に対応して留め付け或いは掲示ができるものとなった。殊に、腰の弱い紙片を縮り切らずに留め付けできる効果は大きい。
【００２４】
押えを、縦細あるいは縦筋に押え付くものとした。これにより掲示紙面に覆い被らないものとなり、
【００２５】
ペアーで使用することで掲示紙片の横幅がが大きめのものでも、小さめのものでも、ポスターを画鋲で留め付けるように、紙片上端の適宜のスポットを留め付けて掲示することができるものとなった。
【００２６】
つまみ代をもつ、つまみ窪をもつ、手懸り或いは手当りをもつことで、つまみもち易く、付け外しし易いものとなった。
【発明を実施するための最良の形態】
【００２７】
この発明は、平らかな受け面をもつ受け側と、受け側の下端あるいは背面から張り出し、受け側の背後からその頭上を迂回し、受け面に押え付く形状の押えとからなる挟み合いの構成をもつクリップである。
【００２８】
尚、受け面に押え付く形状の押えをもつと云う説明は、押えが必ずしも受け面に接していると云う意味ではない。最初から挟み入れ口を開き加減にしたもの、あるいは挟み入れ口を閉じ加減にしたものなど、留め付ける対象の厚みに対応できる形態をとるもので、嵌め挟んだ状態において、受け側と押えとで、その対象を挟み留めることができるものとした形状、あるいは形態をもつと云う意味である。
【００２９】
本発明のクリップは、受け面側に回った押えを手前側にして、留め付ける使い方をするもので、裏表をもつものである。このことから、手前側に回った押えにつまみ代をもつことに大きな意味がある。
【００３０】
全体として縦細に挟み付くものとした。また図４１〜５２に示すように受け側は横幅のあるものとした場合でも、押え側については縦細あるいは縦筋に押え付くものとした。また、全体として多少広幅のものにするのも良い。この場合、掲示紙面が透けて見えるように透明樹脂を素材にすると良い。
【００３１】
以下、発明の実施の形態を図を追って説明する。図１〜２０は、プラスチックを素材として成形加工してつくる、あるいは板棒状にした弾性体を折り曲げてつくるとした形状のものである。
【００３２】
図２１〜４２は、針金状の金属線（以下、針金と云う）を折り曲げてつくる、あるいはプラスチックを素材として成形加工してつくるとした形状のものである。針金を折り曲げてつくったもので図示し説明する。うち、図３１〜４０は、縦筋の挟み合いを横並びに連ねた構成をもつものである。
【００３３】
図４１〜５２は、受け側が横幅をもった受け面（以下、横張りと云う）をもち、押えが縦細あるいは縦筋に押え付くものとしたものである。横張りをもつことにより、受けを縦軸にして回転する形の振れをなくすと共に、受け面が留め付け面に密着し、一層安定した留め付き状態を得ることができる。うち、図４３〜４８、５１は受け面の上端（挟み合いの内奥）に水平肩を設けたものである。このことについては後述（項目００５７）する。
【００３４】
図１は、外側に反り返りの稜で押え付く形状の押えをもつものである。図２は、内側に曲がり込みの稜で押え付く形状の押えをもつものである。
【００３５】
図１、２は、挟み入れ口の脇につまみ代を設けた例である。図１は、押えの端からの延長をつまみもてる程に張り出しの折り曲りをつくり、それをつまみ代としたものである。図２は、押えをつまみもてる程に下垂れの弧をつくるかたちで、内に曲がり込む形で押え付くのものとし、それをつまみ代としたものである。
【００３６】
図５、６は、図３、４の押えが受け側の下端から折れ曲る形で張り出したものにしているのに対して、図５、６の押えは受け側の背面から張り出したものにした例である。尚、図３、４、５、６を基本形として、それを変形あるいは発展させたものが図１、２、７〜２０である。
【００３７】
図７、８は、図３、５のものについて、押えの端をつまみもてる程に引き出して（延長して）もち、この延長部をつまみ代とした例である。
【００３８】
図９、１０は、正面から突き押える形の押えをもつものとし、その押えを頭部からやや下に降りた位置に、つまみもてる程の弧に張り出したものとし、それをつまみ代とした例である。
【００３９】
図１１、１２は、掲示紙面にできるだけ被らないものとするために、押えを浅く入った位置で押え付くものとし、その押え自体をつまみもてる程の弧に張り出したものにし、それをつまみ代とした例である。
【００４０】
図１、２、７〜１２で、挟み入れ口を引き開き加減しながら挟み付けできるつまみ代について説明したが、それらについて補足説明をする。図１、２、７、８に示すのは、受け面側に折り返した位置から、比較的長めに取った位置につまみ代をもつもので、挟み入れ口を引き開きする加減をし易くしたものである。そして図９、１０に示すもの、更に図１１、１２に示すものの順で、つまみ代が受け面側に折り返しの位置に近くなるにつれ、引き開き加減のし難いものになる。
【００４１】
図１３、１４は、押えの頭部に突き出しを設け、つまみ代とした例である。
【００４２】
図１５〜１８は、裏表の両外側につまみ窪を設けた例である。図１５、１６は、細板状体のものを折り曲げた形状のもの。図１７、１８は、プラスチックを成形加工した形状のものである。片外側にのみ、つまみ窪をもつものとしても良い。尚、図１５の表側のつまみ窪は、押えの末端を折り返すかたちでつまみ窪をつくったものである。図１７の表側のように、片流れのつまみ窪の場合は押えの末端の反り曲りを、指先が当たるようにしておくと良い。
【００４３】
図１９は、手懸りとして、外側面に滑り止めとする突起をつくったものである。図２０は、手当りとして横筋のざらつきをもたせたものである。
【００４４】
図２１、２２は、図１、２のものを針金に置き換えたものである。図２３、２４は、図２１、２２の変形である。図２１、２３は押えの末端を引き出してまるめ折り、指の腹が当たり易い大きさのつまみ代をつくったもの、図２２、２４は、手前側に大きく張り出した押え側の空間を、埋め狭めて指の腹が当たり易い大きさのつまみ代をつくったもので、つまみ代の代表的な例である。図２５、２６は図９、１０のものを針金に置き換えたものである。図２７、２８は、図１１、１２のもを針金に置き換えたものである。図２９、３０は、図１３、１４のものを針金に置き換えたものである。
【００４５】
図２１〜３０は、一筋の受けと押えからなるものであるから、図２９、３０のつまみ代を除けば、正面から見た状態に於いては受けと押えは一直線の縦筋に芯で重なり合うものになるようつくることが大切である。
【００４６】
図３１、３２は、図３、４のものを縦二筋のものに置き換えたもので、二筋（２対）の受けと押えからなる挟み合いをもつもの（図３３〜４０）の基本形である。図３１、３２については、つまみもつため或いは付け外しするために、つまみ代をもつものとしていないが、縦二筋の横幅を６〜８ミリほどのつまみ幅にして、縦二筋が指の腹に当たるものとしたとき、縦二筋とその間の縦溝（縦空間）に指の腹にしっくり沈み馴染んで、つまみもち易いものになる。縦溝状のつまみ窪をもつものであると云うことができる。これら（図３３〜４０）のものは安定した状態に留め付き、弾力的なバネをもち、掲示紙面に覆い被さらないなどの特別な効果をもつ。
【００４７】
図３１は、縦二筋の挟み合いを押えの端で横つなぎしたもの。図３２は受け側の端で横つなぎしたものである。構成する形態により、いずれの側で横つなぎしたものとしても良いし、受けと押えの両端で横つなぎしたものとしても良い。堅固さからすれば、両端で横つなぎしたものの方が優れているが、片方の側で横つなぎしたものであっても実用に充分に耐えるものである。選択は任意である。
【００４８】
図３３、３４は、図３１、３２の変形である。図３３は、図３１が押えの端で横つなぎしたものであるのに対し、受けの端で横つなぎしたものである。また、押えの端を折り返して保全すれば、それが、つまみ窪を設けたものと同様のものとなり、更に扱い易いものになる。図３４は、押えの端で横つなぎしたもので、図３２に示す如き縦筋の二つの稜（２点）で留め押えるものでなく、折り曲がった横つなぎ部分（横筋）の中間突部で留め押える、即ち、受け側は二線であるが、押えは一点で留め押えるものとした例である。
【００４９】
図３５、３６は、図７のものを針金に置き換えたものである。図３５は押え側の端で横つなぎしたもの。図３６は受け側と押え側の両端で、横つなぎしたものである。尚、受け側の横つなぎの横幅を広めにとって、受け面を大きくしたものである。
【００５０】
図３７、３８は、図１３、１４のものを針金に置き換えたものである。この場合は受け側の端、即ち、つまみ代部分で横つなぎすると良い。
【００５１】
図３９、４０は、図１５、１６のものを針金に置き換えたものである。図３９は、図３３に対して裏側にもつまみ窪をもつものとした例である。
【００５２】
縦に二筋の受けと押えをもつ図３１〜４０のものは、受けと押えが正面から芯で押え合う、あるいは挟み合う必要はなく、ずれ合うものにしてもよい。また、僅かにすれ違いをもつものにしても良い。それにより、更に確かな留め付けのものにすることができる。
【００５３】
図４１、４２は、図２１、２２のものについて、受け側に、針金が折れ曲りの仮想の面（横張り）をもつものとした例である。図４１の横張りは円い形、図４２の横張りは三角の形であるが、形を限定するものではない。横張りをもつことで、更に安定した取り付き状態を得ることができる。
【００５４】
図４３、４４は、図２１、２２のものについて、受け側に板状の横張りをもつものとした例である。図４５、４６は、図２５、２６の受け側について、板状の横張りをもつものとした例である。図４７、４８は、図２７、２８の受け側について、板状の横張りをもつものとした例である。因みに、図４３〜４８のものは手前側につまみ代をもつものとしているが、受け側を板状にしていることから比較的つまみもち易く、必ずしもつまみ代をもつ必要はない。
【００５５】
図４９、５０は、受け側を横板状に横張りをもつものとし、その左右に挟み合いをもつものとした例で、どちらかと云えばペアで使用するものでなく、単独のクリップとして使用するものである。横幅の広い横張りをもつことから、全体的につまみもち易く、特につまみ代をもつ必要はない。
【００５６】
図５１は、図２９の受け側について、板状の横張りとつまみ代をもつものとした例である。
【００５７】
図５２は、図４９のものについて、受け側の中間頭部に突き出したつまみ代をもつものとした例である。
【００５８】
縦細に留め付けるクリップは、押え付く部分を支点にして左右に振れ動き易い。また、針金を折り曲げてなる図２１〜３０の如きクリップは、傾いた姿勢のまま留め付けできてしまう。この問題を解決するものとして、図４３〜４８、５１に示すように、受け面の上端に横幅をもって庇状に突き出した水平肩を設けたものにするとよい。これにより柵板の縁に真っ直ぐに留め付くものになる。尚、庇状の突き出し幅を僅か大きめにすることで、同時に掲示紙片の縁を押えるものになり、掲示紙片がずり動いて斜めになったりすることを防ぐものにもなる。因みに水平肩は、図１〜２０のように全体が横狭のものについて設けた場合でも一定の効果がある。また、挟み合うバネ効果を安定させる上でも効果がある。
【産業上の利用可能性】
【００５９】
柵板に限らず薄い板の縁に、紙片を留め付ける、あるいは掲示するためのクリップとして使用できる。ゼムクリップとバネクリップのはざまの用途分野などでも使用できる。
【図面の簡単な説明】
【００６０】
【図１】本発明の１つであるクリップの斜視図である。
【図２】本発明の１つであるクリップの斜視図である。
【図３】本発明の１つであるクリップの斜視図である。
【図４】本発明の１つであるクリップの斜視図である。
【図５】本発明の１つであるクリップの斜視図である。
【図６】本発明の１つであるクリップの斜視図である。
【図７】本発明の１つであるクリップの斜視図である。
【図８】本発明の１つであるクリップの斜視図である。
【図９】本発明の１つであるクリップの斜視図である。
【図１０】本発明の１つであるクリップの斜視図である。
【図１１】本発明の１つであるクリップの斜視図である。
【図１２】本発明の１つであるクリップの斜視図である。
【図１３】本発明の１つであるクリップの斜視図である。
【図１４】本発明の１つであるクリップの斜視図である。
【図１５】本発明の１つであるクリップの斜視図である。
【図１６】本発明の１つであるクリップの斜視図である。
【図１７】本発明の１つであるクリップの斜視図である。
【図１８】本発明の１つであるクリップの斜視図である。
【図１９】本発明の１つであるクリップの斜視図である。
【図２０】本発明の１つであるクリップの斜視図である。
【図２１】本発明の１つであるクリップの斜視図である。
【図２２】本発明の１つであるクリップの斜視図である。
【図２３】本発明の１つであるクリップの斜視図である。
【図２４】本発明の１つであるクリップの斜視図である。
【図２５】本発明の１つであるクリップの斜視図である。
【図２６】本発明の１つであるクリップの斜視図である。
【図２７】本発明の１つであるクリップの斜視図である。
【図２８】本発明の１つであるクリップの斜視図である。
【図２９】本発明の１つであるクリップの斜視図である。
【図３０】本発明の１つであるクリップの斜視図である。
【図３１】本発明の１つであるクリップの斜視図である。
【図３２】本発明の１つであるクリップの斜視図である。
【図３３】本発明の１つであるクリップの斜視図である。
【図３４】本発明の１つであるクリップの斜視図である。
【図３５】本発明の１つであるクリップの斜視図である。
【図３６】本発明の１つであるクリップの斜視図である。
【図３７】本発明の１つであるクリップの斜視図である。
【図３８】本発明の１つであるクリップの斜視図である。
【図３９】本発明の１つであるクリップの斜視図である。
【図４０】本発明の１つであるクリップの斜視図である。
【図４１】本発明の１つであるクリップの斜視図である。
【図４２】本発明の１つであるクリップの斜視図である。
【図４３】本発明の１つであるクリップの斜視図である。
【図４４】本発明の１つであるクリップの斜視図である。
【図４５】本発明の１つであるクリップの斜視図である。
【図４６】本発明の１つであるクリップの斜視図である。
【図４７】本発明の１つであるクリップの斜視図である。
【図４８】本発明の１つであるクリップの斜視図である。
【図４９】本発明の１つであるクリップの斜視図である。
【図５０】本発明の１つであるクリップの斜視図である。
【図５１】本発明の１つであるクリップの斜視図である。
【図５２】本発明の１つであるクリップの斜視図である。
【符号の説明】
【００６１】
1A〜52A    受け側、受け
43Aa、44Aa、45Aa、46Aa、47Aa、48Aa、51Aa    水平肩
1B〜52B    押え側、押え
1Bb、2Bb、7Bb、8Bb、9Bb、10Bb、11Bb、12Bb、21Bb、22Bb、23Bb、24Bb、25Bb、26Bb、
27Bb、28Bb、35Bb、36Bb、41Bb、42Bb、43Bb、44Bb、45Bb、46Bb、47Bb、48Bb
（挟み入れ口を引き開きできる）つまみ代  13Bc、14Bc、29Ac、30Ac、37Ac、38Ac、51Ac、52Ac    つまみ代
1Bd、15Bd、16Bd、17Bd、18Bd、33Bd、39Bd、40Bd    つまみ窪
19Be    手懸り
20Bf    手当り
【図１】
2005181397.tif 000003
【図２】
2005181397.tif 000004
【図３】
2005181397.tif 000005
【図４】
2005181397.tif 000006
【図５】
2005181397.tif 000007
【図６】
2005181397.tif 000008
【図７】
2005181397.tif 000009
【図８】
2005181397.tif 000010
【図９】
2005181397.tif 000011
【図１０】
2005181397.tif 000012
【図１１】
2005181397.tif 000013
【図１２】
2005181397.tif 000014
【図１３】
2005181397.tif 000015
【図１４】
2005181397.tif 000016
【図１５】
2005181397.tif 000017
【図１６】
2005181397.tif 000018
【図１７】
2005181397.tif 000019
【図１８】
2005181397.tif 000020
【図１９】
2005181397.tif 000021
【図２０】
2005181397.tif 000022
【図２１】
2005181397.tif 000023
【図２２】
2005181397.tif 000024
【図２３】
2005181397.tif 000025
【図２４】
2005181397.tif 000026
【図２５】
2005181397.tif 000027
【図２６】
2005181397.tif 000028
【図２７】
2005181397.tif 000029
【図２８】
2005181397.tif 000030
【図２９】
2005181397.tif 000031
【図３０】
2005181397.tif 000032
【図３１】
2005181397.tif 000033
【図３２】
2005181397.tif 000034
【図３３】
2005181397.tif 000035
【図３４】
2005181397.tif 000036
【図３５】
2005181397.tif 000037
【図３６】
2005181397.tif 000038
【図３７】
2005181397.tif 000039
【図３８】
2005181397.tif 000040
【図３９】
2005181397.tif 000041
【図４０】
2005181397.tif 000042
【図４１】
2005181397.tif 000043
【図４２】
2005181397.tif 000044
【図４３】
2005181397.tif 000045
【図４４】
2005181397.tif 000046
【図４５】
2005181397.tif 000047
【図４６】
2005181397.tif 000048
【図４７】
2005181397.tif 000049
【図４８】
2005181397.tif 000050
【図４９】
2005181397.tif 000051
【図５０】
2005181397.tif 000052
【図５１】
2005181397.tif 000053
【図５２】
2005181397.tif 000054